(57)【要約】【課題】ケーブル布設箇所の景観を損なうことのない色合いの通信ケーブルを、耐候性などの性能を維持しながら安価に提供する。【解決手段】ケーブルコア１を内層シース２と外層シース３で二重に被覆し、内層シース２を耐候性の高い樹脂材で構成するとともに、外層シース３を任意に着色した樹脂材で構成する。【選択図】図１
2004079382.tif 000002
【特許請求の範囲】
【請求項１】
ケーブルコアを内層シースと外層シースとで二重に被覆し、内層シースを耐候性の高い樹脂材で構成するとともに、外層シースを任意に着色した樹脂材で構成した、
ことを特徴とする通信ケーブル。
【請求項２】
請求項１に記載の通信ケーブルにおいて、
前記外層シースの厚みを、前記内層シースの表面色が外部に漏れない範囲で薄くする、
ことを特徴とする通信ケーブル。
【請求項３】
請求項１または２に記載の通信ケーブルにおいて、
前記内層シースを、カーボンが添加されることで耐候性が高められた樹脂材から構成する、
ことを特徴とする通信ケーブル。
【請求項４】
請求項１ないし３のいずれかに記載の通信ケーブルにおいて、前記内層シースと前記外層シースとは同時に押出し形成されて前記ケーブルコアに被覆されたものである、
ことを特徴とする通信ケーブル。
【請求項５】
請求項１ないし４のいずれかに記載の通信ケーブルにおいて、前記外層シースは別工程で内層シース上に押出し被覆形成されたものである、
ことを特徴とする通信ケーブル。
【発明の詳細な説明】
【０００１】
【発明の属する技術分野】
本発明は、屋外あるいは屋内において各種通信用途に用いられる通信ケーブルに関する。
【０００２】
【従来の技術】
周知のように、通信ケーブルはケーブルコアを樹脂製のシースで被覆保護した構造となっており、シースには、カーボンを添加したＰＥ（ポリエチレン）などの樹脂材が用いられており、これにより、通信ケーブルの耐候性が高められている。
【０００３】
カーボン入りのシースは安価に所望の耐候性を確保できる利点があるため多用されているのであるが、ケーブル外観が黒色であるために、布設箇所によっては周囲の景観にそぐわなくなることがあった。
【０００４】
そこで、周囲の景観に及ぼす影響を考慮して、目立たない色などに着色した樹脂材をシースに使用した通信ケーブルや、シースの外周に任意の色合いの着色塗料を塗布した通信ケーブルが提供されている。
【０００５】
【発明が解決しようとする課題】
しかし、黒色以外の色に着色した樹脂シースは、着色用の顔料の他に耐候性を高めるためにカーボン以外の高価な添加材を多量に混入することになって製造コストが高くならざるを得ず、ユーザーに価格面で十分納得して利用してもらえるには至らないものであった。また、着色塗料を塗布した通信ケーブルは、着色塗料が剥離しやすく、耐久性の面で問題があった。
【０００６】
本発明は、このような実情に着目してなされたものであって、ケーブル布設箇所の景観を損なうことのない色合いの通信ケーブルを、耐候性などの性能を維持しながら安価なものとして提供することを目的とする。
【０００７】
【課題を解決するための手段】
本発明では、上記目的を達成するために、次のように構成している。
【０００８】
すなわち、請求項１に係る発明の通信ケーブルは、ケーブルコアを内層シースと外層シースとで二重に被覆し、内層シースを耐候性の高い樹脂材で構成するとともに、外層シースを任意に着色した樹脂材で構成したことを特徴とする。
【０００９】
この構成によると、ケーブル布設箇所周辺の色合いに近い色合いに着色した外層シースの通信ケーブルを選択することで、景観を損なうことなく通信ケーブルを布設することができる。
【００１０】
本発明では、前記外層シースの厚みを、前記内層シースの表面色が外部に漏れない範囲で薄くするのが好ましく、そうすれば、この外層シース自体の材料量は少ないものであり、外層シースの付加に伴うコストアップは、厚い単層のシース全体を着色樹脂シースにする場合に比較して少ないものとなる。
【００１１】
本発明は、前記内層シースを、実績のある耐候性に優れたカーボン入りの樹脂材シースとするのが好ましく、そうすれば耐久性の面では何ら問題は生じない。
【００１２】
また、前記内層シースと外層シースは同時に押出し形成されてケーブルコアに被覆されたものであるのが好ましく、そうすれば、一体に押出し形成された内層シースと外層シースとは、接着強度が高いものとなり、外層シースが剥離したり遊離したりすることはない。また、内層シースと外層シースとを同時に押出し形成するので、生産効率の高いケーブル製造が可能となり、コスト低減に有効となる。
【００１３】
また、本発明は、前記外層シースは別工程で内層シース上に押出し被覆形成されたものであるのが好ましく、そうすれば、従来のケーブル成形機によって内層シースを被覆形成したケーブルを別個準備したシース形成機にかけて外層シースを被覆形成することになるので、従来のケーブル成形機で成形されたケーブルはそのままで単層の黒色樹脂シースを備えた製品となる。また、成形されたケーブルを再度シース形成機にかけることで着色二重シースの通信ケーブルを製造することができ、内層シースおよび外層シースを同時に押出し成形するケーブル成形機を利用する場合に比較して設備コストが少なくてすむ。また、外層シースの形成が別工程であるので、各種色合いの通信ケーブルを製造する場合に、外層シースのシース形成機のみを段取り代えすればよく、多品種の製造、あるいは、特注品の製造などに対応しやすい。
【００１４】
【発明の実施の形態】
以下、本発明の実施の態様を図面に基づいて説明する。
【００１５】
図１に、本発明に係る通信ケーブルの斜視図が、また、図２に、その縦断正面図がそれぞれ示されている。
【００１６】
この通信ケーブルは、ケーブルコア１を厚い内層シース２と薄い外層シース３で二重に被覆した構造となっている。内層シース２は、カーボンが添加されたＰＥ（ポリエチレン）あるいはＰＶＣ（塩化ポリビニル）などの耐候性の高い黒色樹脂材で構成される。外層シース３は、顔料の添加によって任意に着色されたＰＥあるいはＰＶＣなどの着色樹脂材で構成されている。外層シース３の厚みは、内層シース２の表面色（黒色）が外部に漏れない範囲で極薄い厚みに設定されている。
【００１７】
内層シース２と外層シース３とは、ケーブルコア１にシースを被覆形成するケーブル成形機において、同時に押出し成形されたものであり、着色された外層シース３の厚さが、内層シース２の色（黒色）が見えない限りできるだけ薄く設定されている。なお、外層シース３は、耐候性を高める添加材が混入されたものであってもよい。
【００１８】
なお、前記外層シース３を被覆形成する手段としては、上記のようにケーブル形成機において内層シース２と同時に押出し被覆形成する他に、従来のケーブル成形機によって内層シース２を押出し被覆形成したケーブルを別個準備したシース形成機にかけ、別工程で外層シース３を押出し被覆形成することも可能である。図３は外層シース３を内層シース２とは別工程で押出し被覆成形したのち、そうして形成した通信ケーブルにコネクタ４等を取り付けた状態を示している。この場合、接続箇所の外層シース３を剥離して内層シース２を露出させ、この内層シース２の露出部位にコネクタ４等を取り付ける。これにより、実績のある内層シース２の防水性能をそのまま保つことができる。
【００１９】
外層シース３と内層シース２とを同時押出し成形する場合には、外層シース３を剥離することなくコネクタ４等が取り付けられる。このようにしてコネクタ４等が取り付けられるのであるが、コネクタ４の共通化を図るために次のような工夫が施される。
【００２０】
外層シース３と内層シース２とを同時押出し成形する場合における外層シース３の外径と、外層シース３と内層シース２とを別工程で押出し成形する場合における内層シース２の外径とが同寸法とされる。これより、異なるシース形成工程で作成された通信ケーブルの間でコネクタ４等の共通化が可能となる。
【００２１】
【発明の効果】
以上の説明から明らかなように、本発明に係る通信ケーブルは、実績のあるカーボン添加樹脂材等からなる内層シースによって所期の耐候性を備えるとともに、着色樹脂材の外層シースによって、周囲の景観を考慮した色合いの外観をもたらすようにしているので、単層のシースを着色樹脂材で形成する場合に比較して安価に製造することができる。したがって、ケーブル布設箇所の景観を損なうことのない色合いの通信ケーブルを、耐候性などの性能を維持しながら安価なものとして提供することができる。
【図面の簡単な説明】
【図１】本発明の一実施形態に係る通信ケーブルの外観斜視図である。
【図２】実施の形態の通信ケーブルの縦断面図である。
【図３】実施の形態の通信ケーブルのコネクタ取付け状態での側面図である。
【符号の説明】
１ケーブルコア　　　　２内層シース　　　　３外層シース
【図１】
2004079382.tif 000003
【図２】
2004079382.tif 000004
【図３】
2004079382.tif 000005